(57)【要約】【課題】周囲環境に応じて電源の消費を制御する。【解決手段】アクティブ通信部４が、イベント信号の送信及びコマンド信号の受信を行わないサイレント２モードの状態にて、モードを切り替えるためのコマンド信号をパッシブ通信部５が受信した場合、アクティブ通信部４を、イベント信号を送信し、イベント信号に対するコマンド信号を受信した場合にそのコマンド信号に応じた情報を送信するノーマルモードと、コマンド信号の受信のみを行うサイレント１モードとのいずれかに遷移させる。【選択図】図１
2014174950.tif 000002
【特許請求の範囲】
【請求項１】
電源と、第１及び第２のアンテナと、前記電源によって駆動し、前記第１のアンテナを介した非接触通信によって信号を送受信するアクティブ通信部と、非接触通信によって前記第２のアンテナに生じた起電力で駆動し、前記第２のアンテナを介した非接触通信によって信号を送受信するパッシブ通信部と、前記アクティブ通信部及び前記パッシブ通信部における信号の送受信に応じた制御を行う制御部とを有してなるＲＦＩＤタグにおいて、
前記アクティブ通信部は、イベント信号を送信し、該イベント信号に対するコマンド信号を受信した場合に該コマンド信号に応じた情報を送信する第１のモードと、コマンド信号の受信のみを行う第２のモードと、前記イベント信号の送信及びコマンド信号の受信を行わない第３のモードとを有し、
前記制御部は、前記アクティブ通信部が前記第１または第２のモードの状態にて、モードを切り替えるためのコマンド信号を当該アクティブ通信部が受信した場合、前記アクティブ通信部を他のモードに遷移させ、前記アクティブ通信部が前記第３のモードの状態にて、モードを切り替えるためのコマンド信号を前記パッシブ通信部が受信した場合、前記アクティブ通信部を他のモードに遷移させることを特徴とするＲＦＩＤタグ。
【発明の詳細な説明】
【技術分野】
【０００１】
本発明は、非接触通信を行うＲＦＩＤタグに関する。
【背景技術】
【０００２】
近年、情報化社会の進展に伴って、商品等に添付されるタグに情報を記録し、このタグを用いての商品等の管理が行われている。このようなタグを用いた情報管理においては、タグに対して非接触通信によって情報の書き込みや読み出しを行うことが可能なＲＦＩＤタグがその優れた利便性から急速な普及が進みつつある。
【０００３】
ＲＦＩＤタグとしては、小型化及び通信可能距離を確保するために、電源を内蔵して数十ｍ程度の長距離での通信が可能なアクティブ型のＲＦＩＤタグが用いられることが多い。このようなアクティブ型のＲＦＩＤタグは、リーダから送信されるトリガ信号を契機として信号の送受信を開始する（例えば、特許文献１参照）。そのため、トリガ信号を受信可能な状態としておく必要があり、電源の消費が多くなってしまう。
【０００４】
そこで、ＲＦＩＤタグ側からイベント信号を定期的に送信し、このイベント信号を受信したリーダからの応答信号を受信することによって信号の送受信を開始することが考えられる。イベント信号の送信は、リーダからのトリガコードを受信可能な状態としておく時間よりも短い設定で行うことができるため、電源の消費を少なくすることができる。
【先行技術文献】
【特許文献】
【０００５】
【特許文献１】特開２０１１−７６４７７号公報
【発明の概要】
【発明が解決しようとする課題】
【０００６】
上述したようなＲＦＩＤタグを用いて管理される商品等は、航空機で空輸される等、電波の送信が禁止されているエリアを通過する場合がある。その場合、上記のようにＲＦＩＤタグからイベント信号を定期的に送信することはできず、そのため、信号を受信可能な状態としておくこととなり、電源の消費が多くなってしまう。また、その場合でも、航空機で空輸される時間が短時間であれば電源の消費が少なくて済むが、電波の送信が禁止されているエリアにて商品等が長期に保管される場合等においては、電源の消費が多大なものとなってしまうという問題点がある。
【０００７】
本発明は、上述したような従来の技術が有する問題点に鑑みてなされたものであって、周囲環境に応じて電源の消費を制御することができるＲＦＩＤタグを提供することを目的とする。
【課題を解決するための手段】
【０００８】
上記目的を達成するために本発明は、
電源と、第１及び第２のアンテナと、前記電源によって駆動し、前記第１のアンテナを介した非接触通信によって信号を送受信するアクティブ通信部と、非接触通信によって前記第２のアンテナに生じた起電力で駆動し、前記第２のアンテナを介した非接触通信によって信号を送受信するパッシブ通信部と、前記アクティブ通信部及び前記パッシブ通信部における信号の送受信に応じた制御を行う制御部とを有してなるＲＦＩＤタグにおいて、
前記アクティブ通信部は、イベント信号を送信し、該イベント信号に対するコマンド信号を受信した場合に該コマンド信号に応じた情報を送信する第１のモードと、コマンド信号の受信のみを行う第２のモードと、前記イベント信号の送信及びコマンド信号の受信を行わない第３のモードとを有し、
前記制御部は、前記アクティブ通信部が前記第１または第２のモードの状態にて、モードを切り替えるためのコマンド信号を当該アクティブ通信部が受信した場合、前記アクティブ通信部を他のモードに遷移させ、前記アクティブ通信部が前記第３のモードの状態にて、モードを切り替えるためのコマンド信号を前記パッシブ通信部が受信した場合、前記アクティブ通信部を他のモードに遷移させることを特徴とする。
【０００９】
上記のように構成された本発明においては、ＲＦＩＤタグに対して非接触通信を行わない場合は、アクティブ通信部を第３のモードに設定しておく。第３のモードにおいては、アクティブ通信部は信号の送受信を行っていないため電源がほとんど消費されない。アクティブ通信部が第３のモードの状態において、ＲＦＩＤタグに対して非接触通信を行うために、アクティブ通信部のモードを切り替えるためのコマンド信号が送信されると、パッシブ通信部は、非接触通信によって第２のアンテナに生じた起電力で駆動するため、コマンド信号の送信によって駆動し、コマンド信号がパッシブ通信部にて受信される。すると、制御部の制御によって、パッシブ通信部にて受信されたコマンド信号に応じて、アクティブ通信部が第１のモードと第２のモードとのいずれかに遷移する。また、アクティブ通信部が第１または第２のモードの状態において、アクティブ通信部のモードを切り替えるためのコマンド信号が送信されると、アクティブ通信部は、第１または第２のモードの状態ではコマンド信号を受信可能な状態であるため、コマンド信号がアクティブ通信部にて受信される。すると、制御部の制御によって、アクティブ通信部にて受信されたコマンド信号に応じて、アクティブ通信部が第１のモードである場合は第２のモードと第３のモードとのいずれかに、また、アクティブ通信部が第２のモードである場合は第１のモードと第３のモードとのいずれかに遷移する。
【００１０】
このように、アクティブ通信部が、コマンド信号に応じて第１のモードと第２のモードと第３のモードとに遷移することにより、周囲環境に応じて電源の消費を制御することができる。その際、アクティブ通信部がコマンド信号を受信できない第３のモードの状態であっても、パッシブ通信部にてコマンド信号が受信されるので、第１、第２及び第３の全てのモードにおいて他のモードへの遷移が可能となる。
【発明の効果】
【００１１】
本発明によれば、アクティブ通信部が、コマンド信号に応じて第１のモードと第２のモードと第３のモードとに遷移することによって電源の消費を制御する構成において、アクティブ通信部がコマンド信号を受信できない第３のモードの状態であっても、パッシブ通信部にてコマンド信号が受信されるので、周囲環境に応じて電源の消費を制御することができる。
【図面の簡単な説明】
【００１２】
【図１】本発明のＲＦＩＤタグの実施の形態を示すブロック図である。
【図２】図１に示したアクティブ通信部が有するモードにおけるＲＦＩＤタグの動作を説明するための図である。
【図３】図１に示したＲＦＩＤタグを用いて管理される物品の一例を示す図である。
【図４】図３に示した保冷箱を管理するシステム構成の一例を示す図である。
【図５】図４に示したシステムにおいて図３に示した保冷箱を管理する場合におけるＲＦＩＤタグの状態の変化を説明するための図である。
【図６】図１に示したアクティブ通信部のサイレント１モードにおけるウェイクアップコマンドの受信動作を説明するための図である。
【図７】図１に示したアクティブ通信部のノーマルモードにおける信号の送受信動作を説明するための図である。
【図８】図１に示したアクティブ通信部のノーマルモードにおける温度ログデータの送受信動作を説明するための図である。
【発明を実施するための形態】
【００１３】
以下に、本発明の実施の形態について図面を参照して説明する。
【００１４】
図１は、本発明のＲＦＩＤタグの実施の形態を示すブロック図である。
【００１５】
本形態は図１に示すように、電源となる電池１と、２つのアンテナ２，３と、アクティブ通信部４と、パッシブ通信部４と、制御部となる制御用マイコン６と、インタフェース部７とから構成されたＲＦＩＤタグ１０である。
【００１６】
電池１は、アルカリ電池やニッケル電池等、適宜なものを使用でき、ＲＦＩＤタグ１０全体の電源となるものである。
【００１７】
アンテナ２は、本願発明における第１のアンテナとなるものであって、２．４５ＧＨｚやＵＨＦ帯（８６０〜９６０ＭＨｚ）のような無線方式ＲＦＩＤにおいてリーダから送信された電波に共振することにより、リーダとの間にて信号を送受信するためのものである。
【００１８】
アンテナ３は、本願発明における第２のアンテナとなるものである。このアンテナ３は、コイル形状を有し、１３．５６ＭＨｚの周波数帯を用いて非接触通信を行うものであって、非接触通信における電磁誘導によって電流が流れて起電力が生じ、その起電力による電源をパッシブ通信部５に供給し、リーダとの間にて信号を送受信するためのものである。
【００１９】
アクティブ通信部４は、電池１によって駆動し、信号を変復調して２．４５ＧＨｚやＵＨＦ帯のような無線方式ＲＦＩＤにてアンテナ２を介した非接触通信によってリーダとの間で信号を送受信するものであって、３つのモードを有している。
【００２０】
パッシブ通信部５は、アンテナ３から供給された電源によって駆動し、信号を変復調して１３．５６ＭＨｚの周波数帯にてアンテナ３を介した非接触通信によってリーダとの間で信号を送受信する。すなわち、パッシブ通信部５は、非接触通信によってアンテナ３に生じた起電力で駆動する。
【００２１】
制御用マイコン６は、アクティブ通信部４及びパッシブ通信部５における信号の送受信に応じた制御を行う。
【００２２】
インタフェース部７は、接続された外部装置とのインタフェースを司るものである。
【００２３】
メモリ８は、ＲＦＩＤタグ１０のタグＩＤや、インタフェース部７を介して外部装置から取得した情報を記憶する。
【００２４】
ここで、アクティブ通信部４が有する３つのモードについて説明する。
【００２５】
図２は、図１に示したアクティブ通信部４が有するモードにおけるＲＦＩＤタグ１０の動作を説明するための図である。
【００２６】
図２に示すように、図１に示したアクティブ通信部４は、第１のモードとなるノーマルモードと、第２のモードとなるサイレント１モードと、第３のモードとなるサイレント２モードとを有している。
【００２７】
ノーマルモードにおいては、アクティブ通信部４は、アンテナ２を介しての非接触通信のきっかけとなるイベント信号を定期的に送信する。リーダからのコマンド信号の間欠受信は行わないものの、イベント信号の送信直後においてイベント信号に対する応答信号をアンテナ２を介して受信する。そして、この応答信号が、情報の送信を要求するコマンド信号である場合、受信したコマンド信号に応じた情報を送信する。
【００２８】
サイレント１モードにおいては、アクティブ通信部４は、イベント信号の送信は行わず、コマンド信号となるウェイクアップコマンドをアンテナ２を介して間欠受信する。
【００２９】
サイレント２モードにおいては、アクティブ通信部４は、イベント信号の送信もコマンド信号の間欠受信も行わない。
【００３０】
また、アクティブ通信部４が上記３つのモードのいずれの場合においても、パッシブ通信部５は、非接触通信によってアンテナ３に生じた起電力によって駆動するため、アンテナ３を介して常時アクセスが可能となっており、アンテナ３を介してコマンド信号を受信することができる。
【００３１】
以下に、上述したＲＦＩＤタグ１０を用いた物品管理について説明する。
【００３２】
図３は、図１に示したＲＦＩＤタグ１０を用いて管理される物品の一例を示す図である。
【００３３】
図３に示すように、図１に示したＲＦＩＤタグ１０は保冷箱５０の管理に用いられる。この場合、ＲＦＩＤタグ１０は、例えば、温度センサ２０、開閉センサ３０及び表示装置４０がインタフェース部７を介して接続された状態で保冷箱５０の外側面に取り付けられる。
【００３４】
温度センサ２０は、保冷箱５０の内部に設置され、保冷箱５０内部の温度を検知する。なお、保冷箱５０の内部が複数の領域に仕切られ、複数の領域が互いに異なる温度に設定される場合は、これら複数の領域毎に温度センサ２０が設置される。
【００３５】
開閉センサ３０は、例えば光センサ等からなり、保冷箱５０の内部に設置され、光を検知することによって保冷箱５０が開梱されたことを検知する。
【００３６】
表示装置４０は、ＬＣＤや電子ペーパー等からなり、温度センサ２０にて検知された温度を表示する。
【００３７】
なお、ＲＦＩＤタグ１０には、これら温度センサ２０、開閉センサ３０及び表示装置４０の他にも、外気温を検知する外気温センサや衝撃センサ等、任意のものを接続することができ、これらによって検知された情報を、インタフェース部７を介してＲＦＩＤタグ１０にて取得することができる。
【００３８】
図４は、図３に示した保冷箱５０を管理するシステム構成の一例を示す図である。
【００３９】
以下に、図４に示すように、図３に示した保冷箱５０が出庫拠点６０から搬入拠点７０に搬送され、搬送拠点７０にて保冷箱５０が開梱された後、再び出庫拠点６０に保冷箱５０が戻される場合の管理方法について説明する。
【００４０】
保冷箱５０が出庫される出庫拠点６０には、ＲＦＩＤタグ１０との間にて非接触通信によって信号の送受信をすることで情報を読み出すリーダ６１と、データセンタ８０に接続可能な通信装置６２とが配置されている。
【００４１】
保冷箱５０が搬入、開梱される搬入拠点７０には、受付エリア７１と搬入開梱エリア７２とが設けられており、これら受付エリア７１と搬入開梱エリア７２のそれぞれにおいても、ＲＦＩＤタグ１０との間にて非接触通信によって信号の送受信をすることで情報を読み出すリーダ７３，７４と、データセンタ８０に接続可能な通信装置７５，７６とが配置されている。
【００４２】
データセンタ８０は、保冷箱５０の搬送状況を管理する拠点であって、通信装置６２，７５，７６と接続可能な通信装置８１が設けられるとともに、保冷箱５０の搬送状況が記憶されるデータベース８２を有している。
【００４３】
図５は、図４に示したシステムにおいて図３に示した保冷箱５０を管理する場合におけるＲＦＩＤタグ１０の状態の変化を説明するための図である。
【００４４】
図３に示した保冷箱５０は出庫拠点６０から出庫される。なお、ＲＦＩＤタグ１０のアクティブ通信部４は初期状態としてサイレント２モードとなっている（ステップ１）。サイレント２モードにおいては、アクティブ通信部４は信号の送受信を行っていないため電源がほとんど消費されない。また、温度センサ２０において保冷箱５０の内部の温度が逐次検知され、この温度データがＲＦＩＤタグ１０に送信されている。ＲＦＩＤタグ１０においては、温度センサ２０から送信されてきた温度データがインタフェース部７を介して受信され、制御用マイコン６の制御によって温度ログデータとしてメモリ８に記憶されていく。また、温度センサ２０にて検知された温度は表示装置４０に表示される。
【００４５】
アクティブ通信部４がサイレント２モードとなっているＲＦＩＤタグ１０に対して、出庫拠点６０に設けられたリーダ６１からサイレント１モードに変更するためのコマンド信号が送信されると、このコマンド信号がアンテナ３にて受信されることで電磁誘導が生じ、この電磁誘導によってアンテナ３に電流が流れてアンテナ３に起電力が生じる。アンテナ３に生じた起電力による電源はパッシブ通信部５に供給され、パッシブ通信部５が駆動し、リーダ６１から送信されたコマンド信号がパッシブ通信部５にて受信される（ステップ２）。このように、サイレント２モードにおいては、アクティブ通信部４が信号の送受信を行っていないものの、パッシブ通信部５が、コマンド信号がアンテナ３にて受信された際の電磁誘導によってアンテナ３に生じた起電力で駆動するため、リーダ６１から送信されたコマンド信号を受信することができる。
【００４６】
すると、制御用マイコン６の制御によって、パッシブ通信部５にて受信されたコマンド信号に応じて、アクティブ通信部４がサイレント１モードに遷移する（ステップ３）。
【００４７】
その後、保冷箱５０が出庫拠点６０から出庫される際、保冷箱５０に添付された作業票（不図示）に表示された二次元コード等のコード情報が読み取られて通信装置６２から送信され、このコード情報がデータセンタ８０の通信装置８１にて受信されることにより、データセンタ８０において、受信したコード情報によって識別される保冷箱５０がそのコード情報の送信時刻に出庫拠点６０から出庫されたことがデータベース８２に登録されて管理される。
【００４８】
出庫拠点６０から出庫された保冷箱５０は、例えば航空機で空輸されることによって搬入拠点７０に搬送される。この際、アクティブ通信部４は、サイレント１モードとなっているため、コマンド信号の間欠受信が行われているものの、イベント信号の送信が行われていない。そのため、アンテナ２を介して電波が送信されておらず、航空機内のように電波の送信が禁止されているエリアを通過する場合においても問題はない。
【００４９】
出庫拠点６０から出庫された保冷箱５０は、まず、搬入拠点７０の受付エリアに搬入される。この状態においては、保冷箱５０に取り付けられたＲＦＩＤタグ１０のアクティブ通信部４は、サイレント１モードとなっている（ステップ４）。
【００５０】
アクティブ通信部４がサイレント１モードとなっているＲＦＩＤタグ１０に対して、受付エリア７１に設けられたリーダ７３からウェイクアップコマンドが送信されると、このウェイクアップコマンドがアンテナ２を介してアクティブ通信部４にて受信される（ステップ５）。
【００５１】
図６は、図１に示したアクティブ通信部４のサイレント１モードにおけるウェイクアップコマンドの受信動作を説明するための図である。
【００５２】
サイレント１モードにおいては、アクティブ通信部４は図６に示すように、コマンド信号の間欠受信を行っており、受信状態となっている区間において、リーダ７３から送信されたウェイクアップコマンド１０１が受信されることになる。
【００５３】
ウェイクアップコマンド１０１は、アクティブ通信部４をノーマルモードに変更するためのコマンド信号であって、そのため、アクティブ通信部４にてウェイクアップコマンド１０１が受信されると、制御用マイコン６の制御によって、アクティブ通信部４がノーマルモードに遷移する（ステップ６）。
【００５４】
アクティブ通信部４がノーマルモードに遷移すると、メモリ８に記憶されたタグＩＤが制御用マイコン６によって読み出され、アクティブ通信部４を介してリーダ７３に送信される。リーダ７３に送信されたタグＩＤは、通信装置７５を介してデータセンタ８０に送信され、このタグＩＤがデータセンタ８０の通信装置８１にて受信されることにより、データセンタ８０において、受信したタグＩＤによって識別されるＲＦＩＤタグ１０が取り付けられた保冷箱５０がそのタグＩＤの送信時刻に搬入拠点７０にて受け付けられたことがデータベース８２に登録されて管理される。
【００５５】
その後、アクティブ通信部４がノーマルモードとなっているＲＦＩＤタグ１０に対して、リーダ７３から、サイレント２モードに変更するためのコマンド信号が送信されると、このコマンド信号がアンテナ２を介してアクティブ通信部４にて受信される（ステップ７）。
【００５６】
図７は、図１に示したアクティブ通信部４のノーマルモードにおける信号の送受信動作を説明するための図である。
【００５７】
ノーマルモードにおいては、アクティブ通信部４は図７に示すように、アンテナ２を介しての非接触通信のきっかけとなるイベント信号１０２を定期的に送信しており、リーダからのコマンド信号の間欠受信は行わないものの、イベント信号１０２の送信直後の一定区間においては受信状態となっており、この受信状態においてイベント信号１０２に対する応答信号１０３がアンテナ２を介して受信される。そのため、応答信号１０３として、サイレント２モードに変更するためのコマンド信号を受信することができる。
【００５８】
すると、制御用マイコン６の制御によって、アクティブ通信部４にて受信されたコマンド信号に応じて、アクティブ通信部４がサイレント２モードに遷移する（ステップ８）。
【００５９】
その後、保冷箱５０は、受付エリア７１から搬入開梱エリア７２に搬入される。この状態においては、保冷箱５０に取り付けられたＲＦＩＤタグ１０のアクティブ通信部４は、サイレント２モードとなっている（ステップ９）。
【００６０】
搬入開梱エリア７２において保冷箱５０が開梱されると、保冷箱５０の内部に設置された開閉センサ３０にて保冷箱５０の開梱が検知される（ステップ１０）。保冷箱５０の開梱が検知されると、保冷箱５０の開梱が検知された旨を示す信号が開閉センサ３０からＲＦＩＤタグ１０に送信される。
【００６１】
ＲＦＩＤタグ１０においては、開閉センサ３０から送信された信号がインタフェース部７を介して受信されると、制御用マイコン６の制御によって、アクティブ通信部４がノーマルモードに遷移する（ステップ１１）。
【００６２】
そして、アクティブ通信部４がノーマルモードとなっているＲＦＩＤタグ１０に対して、搬入開梱エリア７２に設けられたリーダ７４から、メモリ８に記憶された温度ログデータを要求するためのコマンド信号が送信され、このコマンド信号がアンテナ２を介してアクティブ通信部４にて受信される。
【００６３】
図８は、図１に示したアクティブ通信部４のノーマルモードにおける温度ログデータの送受信動作を説明するための図である。
【００６４】
上述したように、ノーマルモードにおいては、アクティブ通信部４はイベント信号を定期的に送信しており、リーダからのコマンド信号の間欠受信は行わないものの、イベント信号の送信直後の一定区間においては受信状態となっている。そのため、図８に示すように、この受信状態において、イベント信号に対して、メモリ８に記憶された温度ログデータを要求するためのセンサログ要求コマンド１０４をアンテナ２を介して受信することができる。
【００６５】
センサログ要求コマンド１０４がＲＦＩＤタグ１０にて受信されると、コマンド応答信号１０５がアクティブ通信部４からリーダ７４に送信された後、制御用マイコン６の制御によってアクティブ通信部４にて信号の送受信に用いるチャンネルが温度ログデータを送信するためのチャンネルに切り替えられるとともに、リーダ７４においても信号の送受信に用いるチャンネルが温度ログデータを受信するためのチャンネルに切り替えられる。
【００６６】
そして、制御用マイコン６において、メモリ８に記憶された温度データのログが読み出され、アクティブ通信部４を介してリーダ７４に送信される（ステップ１２）。
【００６７】
このように、サイレント２モードにおいては、アクティブ通信部４がイベント信号の送信もコマンド信号の受信も行っていないものの、開閉センサ３０における検知信号を用いてアクティブ通信部４をノーマルモードに遷移させることができ、その後、ＲＦＩＤタグ１０のメモリ８に記憶された温度ログデータをリーダ７４にて取得することができる。
【００６８】
メモリ８に記憶された温度データのログの送信が完了すると、アクティブ通信部４からコマンド応答信号１０５がリーダ７４に送信され、制御用マイコン６の制御によってアクティブ通信部４にて信号の送受信に用いるチャンネルがイベント信号を送信するためのチャンネルに切り替えられるとともに、リーダ７４においても信号の送受信に用いるチャンネルがイベント信号を受信するためのチャンネルに切り替えられる。
【００６９】
また、ノーマルモードにおいて、メモリ８に記憶されたタグＩＤが制御用マイコン６によって読み出され、アクティブ通信部４を介してリーダ７４に送信される。リーダ７４に送信されたタグＩＤは、温度ログデータとともに通信装置７５を介してデータセンタ８０に送信され、このタグＩＤと温度ログデータとがデータセンタ８０の通信装置８１にて受信されることにより、データセンタ８０において、受信したタグＩＤによって識別されるＲＦＩＤタグ１０が取り付けられた保冷箱５０がそのタグＩＤの送信時刻に搬入拠点７０にて開梱されたこと、及び保冷箱５０の内部の温度の履歴がデータベース８２に登録されて管理される。
【００７０】
その後、アクティブ通信部４がノーマルモードとなっているＲＦＩＤタグ１０に対して、リーダ７４から、サイレント２モードに変更するためのコマンド信号が送信されると、このコマンド信号がアンテナ２を介してアクティブ通信部４にて受信される（ステップ１３）。
【００７１】
すると、制御用マイコン６の制御によって、アクティブ通信部４にて受信されたコマンド信号に応じて、アクティブ通信部４がサイレント２モードに遷移する（ステップ１４）。
【００７２】
このようにして開梱された保冷箱５０は、アクティブ通信部４がサイレント２モードになった状態で出庫拠点６０に戻されていく。保冷箱５０が搬入拠点７０から出庫拠点６０に戻されていく行程においては、ＲＦＩＤタグ１０に対して非接触通信を行わないため、アクティブ通信部４をサイレント２モードに設定しておくことができ、それにより、電源がほとんど消費されない状態とすることができる。
【００７３】
このように、アクティブ通信部４が、コマンド信号に応じて、信号の送受信動作の有無によって電源の消費量が互いに異なるノーマルモードとサイレント１モードとサイレント２モードとに遷移することにより、周囲環境に応じて電源の消費を制御することができる。そして、アクティブ通信部４がコマンド信号を受信できないサイレント２モードの状態であっても、パッシブ通信部５にてコマンド信号が受信されるので、ノーマルモードとサイレント１モードとサイレント２モードの全てのモードにおいて他のモードへの遷移が可能となる。
【００７４】
なお、本形態においては、ＲＦＩＤタグ１０がサイレント１モードにてウェイクアップコマンドを受信した場合にアクティブ通信部４がノーマルモードに遷移しているが、サイレント２モードにおいて、ノーマルモードに変更するためのコマンド信号がパッシブ通信部５にて受信された場合に、制御用マイコン６の制御によって、アクティブ通信部４をノーマルモードに遷移させてもよい。また、サイレント１モードにおいて、サイレント２モードに変更するためのコマンド信号がアクティブ通信部４にて受信された場合に、制御用マイコン６の制御によって、アクティブ通信部４をサイレント２モードに遷移させてもよく、さらには、ノーマルモードにおいて、サイレント１モードに変更するためのコマンド信号がアクティブ通信部４にて受信された場合に、制御用マイコン６の制御によって、アクティブ通信部４をサイレント１モードに遷移させてもよい。
【符号の説明】
【００７５】
１    電池
２，３    アンテナ
４    アクティブ通信部
５    パッシブ通信部
６    制御用マイコン
７    インタフェース部
８    メモリ
１０    ＲＦＩＤタグ
２０    温度センサ
３０    開閉センサ
４０    表示装置
５０    保冷箱
６０    出庫拠点
６１，７３，７４    リーダ
６２，７５，７６，８１    通信装置
７０    搬入拠点
７１    受付エリア
７２    搬入開梱エリア
８０    データセンサ
８２    データベース
１０１    ウェイクアップコマンド
１０２    イベント信号
１０３    応答信号
１０４    センサログ要求コマンド
１０５    コマンド応答信号
【図１】
2014174950.tif 000003
【図２】
2014174950.tif 000004
【図３】
2014174950.tif 000005
【図４】
2014174950.tif 000006
【図５】
2014174950.tif 000007
【図６】
2014174950.tif 000008
【図７】
2014174950.tif 000009
【図８】
2014174950.tif 000010